(57)【要約】【課題】揮発性抗菌剤が合理的に設けられた空気調和装置を提供すること。【解決手段】空気調和装置のダクト２００は、内部を露呈する開口部２５０と、開口部を閉鎖する蓋部２４０とを備え、揮発性抗菌剤６００は、蓋部に配置した。また、ダクトは、通気性素材からなるとともに、ダクトの外面には、当該ダクトとの間に中空部を形成する支持体を支持し、揮発性抗菌剤は、中空部に配置した。更に、空調手段のフィルタは、波型のフィルタ本体とフレームとを備え、揮発性抗菌剤は、通気性素材からなるケースに収納するとともに、このケースは、フィルタ本体の谷間に差し込んで配置した。また、揮発性抗菌剤は、通気性素材からなるケースに収納するとともに、このケースは、フィルタのフレームに嵌装して配置した。更に、フレームには、揮発性抗菌剤を収納する収納部を設け、収納部は、フィルタ本体の通風領域外部に位置する構成とした。【選択図】        図１
2004210087.tif 000002
【特許請求の範囲】
【請求項１】
空気の流路を構成するダクトと、前記ダクトの内部に配置された空調手段と、前記ダクトの内部を抗菌する揮発性抗菌剤とを備えた空気調和装置において、
前記ダクトは、内部を露呈する開口部と、前記開口部を閉鎖する蓋部とを備え、揮発性抗菌剤は、前記蓋部に配置したことを特徴とする空気調和装置。
【請求項２】
前記蓋部には、前記揮発性抗菌剤を収納したケースを装着したことを特徴とする請求項１記載の空気調和装置。
【請求項３】
前記蓋部には、前記揮発性抗菌剤の収納部を設けたことを特徴とする請求項１記載の空気調和装置。
【請求項４】
前記空調手段は、集塵用のフィルタを備え、前記フィルタは、前記ダクトに対して前記開口部から出し入れすることを特徴とする請求項１乃至３のいずれか記載の空気調和装置。
【請求項５】
空気の流路を構成するダクトと、前記ダクトの内部に配置された空調手段と、前記ダクトの内部を抗菌する揮発性抗菌剤とを備えた空気調和装置において、
前記ダクトは、通気性素材からなるとともに、前記ダクトの外面には、当該ダクトとの間に中空部を形成する支持体を支持し、前記揮発性抗菌剤は、前記中空部に配置したことを特徴とする空気調和装置。
【請求項６】
前記中空部を構成する前記ダクトの部位は、前記ダクトの他の部位よりも薄肉であることを特徴とする請求項５記載の空気調和装置。
【請求項７】
空気の流路を構成するダクトと、前記ダクトの内部に配置された空調手段と、前記ダクトの内部を抗菌する揮発性抗菌剤とを備えた空気調和装置において、
前記空調手段はフィルタを備え、
前記フィルタは、空気を通風する波型のフィルタ本体と、前記フィルタ本体を支持するフレームとを備え、
前記揮発性抗菌剤は、通気性素材からなるケースに収納するとともに、前記ケースは、前記フィルタ本体の谷間に差し込んで配置したことを特徴とする空気調和装置。
【請求項８】
空気の流路を構成するダクトと、前記ダクトの内部に配置された空調手段と、前記ダクトの内部を抗菌する揮発性抗菌剤とを備えた空気調和装置において、
前記空調手段はフィルタを備え、
前記フィルタは、空気を通風するフィルタ本体と、前記フィルタ本体を支持するフレームとを備え、
前記揮発性抗菌剤は、通気性素材からなるケースに収納するとともに、前記ケースは、前記フレームに嵌装して配置したことを特徴とする空気調和装置。
【請求項９】
空気の流路を構成するダクトと、前記ダクトの内部に配置された空調手段と、前記ダクトの内部を抗菌する揮発性抗菌剤とを備えた空気調和装置において、
前記空調手段はフィルタを備え、
前記フィルタは、空気を通風するフィルタ本体と、前記フィルタ本体を支持するフレームとを備え、
前記フレームには、前記揮発性抗菌剤を収納する収納部を設け、前記収納部は、前記フィルタ本体の通風領域外部に位置することを特徴とする空気調和装置。
【発明の詳細な説明】
【０００１】
【発明が属する技術分野】
本発明は、空気の流路を構成するダクトと、ダクトの内部に配置された空調手段と、ダクトの内部を抗菌する揮発性抗菌剤とを備えた空気調和装置に関する。
【０００２】
【従来の技術】
自動車用エアコン等の空気調和装置から悪臭が発生する原因としては、そのダクトの内部において繁殖した微生物の活動が挙げられる。特にエアコンのダクトの内部は、エバポレータから発生する結露水によって細菌が増殖しやすい環境となっている。このような細菌の繁殖を抑制する対策としては、揮発性抗菌剤の使用が提案されている。例えば特許文献１乃至４には、揮発性抗菌剤を用いることによって抗菌が施された空気調和装置が開示されている。
【０００３】
【特許文献１】特公平６−７８８２１号公報
【特許文献２】特開平１１−２１１１２６号公報
【特許文献３】特開２０００−８８２７０号公報
【特許文献４】特開２００１−１５３３８５号公報
【発明が解決しようとする課題】
ところで、揮発性抗菌剤の配置構成については、ダクトの内部における抗菌作用をより効果的に得るべく、更なる工夫が求められている。特に、この種の揮発性抗菌剤は、徐々に揮発して消耗されるので、いずれはこれを交換する必要がある。揮発性抗菌剤の交換期間は、一般的なものであれば、１〜２年程度が目安である。空気調和装置の使用者にとっては、このような揮発性抗菌剤の交換は非常に面倒な作業であり、かかる交換作業を容易に行うことを可能にする構造的工夫も重要とされる。
【０００４】
本発明は、かかる事情に鑑みてなされたものであり、その目的は、揮発性抗菌剤が合理的に設けられた空気調和装置を提供することである。
【０００５】
【課題を解決するための手段】
本願第１請求項に記載した発明は、空気の流路を構成するダクトと、前記ダクトの内部に配置された空調手段と、前記ダクトの内部を抗菌する揮発性抗菌剤とを備えた空気調和装置において、前記ダクトは、内部を露呈する開口部と、前記開口部を閉鎖する蓋部とを備え、揮発性抗菌剤は、前記蓋部に配置した構成の空気調和装置である。本発明の構成によれば、揮発性抗菌剤が合理的に設けられた空気調和装置が得られる。すなわち本発明の空気調和装置は、揮発性抗菌剤をダクトの蓋部に配置することにより、ダクトの内部を抗菌するのもである。揮発性抗菌剤の交換作業は、蓋部をダクトから外すことにより、簡単に行うことが可能である。
【０００６】
本願第２請求項に記載した発明は、請求項１において、前記蓋部には、前記揮発性抗菌剤を収納したケースを装着した構成の空気調和装置である。すなわち揮発性抗菌剤は、蓋部にかかるケースを装着することにより、簡単に配置することが可能である。
【０００７】
本願第３請求項に記載した発明は、請求項１において、前記蓋部には、前記揮発性抗菌剤の収納部を設けた構成の空気調和装置である。すなわち揮発性抗菌剤は、蓋部の収納部に収納することにより、簡単に配置することが可能である。
【０００８】
本願第４請求項に記載した発明は、請求項１乃至３のいずれかにおいて、前記空調手段は、集塵用のフィルタを備え、前記フィルタは、前記ダクトに対して前記開口部から出し入れする構成の空気調和装置である。すなわち本発明の空気調和装置は、フィルタ及び揮発性抗菌剤の交換を共通の蓋部を利用して行うものである。このような構成によれば、メンテナンスにおける便宜を図ることが可能である。とりわけ、それらを同時に交換する場合に便利である。
【０００９】
本願第５請求項に記載した発明は、空気の流路を構成するダクトと、前記ダクトの内部に配置された空調手段と、前記ダクトの内部を抗菌する揮発性抗菌剤とを備えた空気調和装置において、前記ダクトは、通気性素材からなるとともに、前記ダクトの外面には、当該ダクトとの間に中空部を形成する支持体を支持し、前記揮発性抗菌剤は、前記中空部に配置した構成の空気調和装置である。本発明の構成によれば、揮発性抗菌剤が合理的に設けられた空気調和装置が得られる。すなわち本発明の空気調和装置は、ダクトの外面からその内部に揮発した揮発性抗菌剤により、ダクトの内部が抗菌されるものである。このような構成によれば、揮発性抗菌剤は、ダクトの内部に配置せずともよいので、容易に交換することが可能である。
【００１０】
本願第６請求項に記載した発明は、請求項５において、前記中空部を構成する前記ダクトの部位は、前記ダクトの他の部位よりも薄肉である構成の空気調和装置である。すなわち中空部を構成するダクトの部位を薄肉にすることによれば、ダクトの内部に揮発する揮発性抗菌剤の量を確実に増加することが可能である。このように、揮発性抗菌剤の揮発量は、ダクトの肉厚を適宜設定することにより、好適に調整することが可能である。
【００１１】
本願第７請求項に記載した発明は、空気の流路を構成するダクトと、前記ダクトの内部に配置された空調手段と、前記ダクトの内部を抗菌する揮発性抗菌剤とを備えた空気調和装置において、前記空調手段はフィルタを備え、前記フィルタは、空気を通風する波型のフィルタ本体と、前記フィルタ本体を支持するフレームとを備え、前記揮発性抗菌剤は、通気性素材からなるケースに収納するとともに、前記ケースは、前記フィルタ本体の谷間に差し込んで配置した構成の空気調和装置である。本発明の構成によれば、揮発性抗菌剤が合理的に設けられた空気調和装置が得られる。すなわち揮発性抗菌剤は、これを収納したケースを波型のフィルタの谷間に差し込むだけで配置することが可能である。つまり、極めて簡単に配置される。
【００１２】
本願第８請求項に記載した発明は、空気の流路を構成するダクトと、前記ダクトの内部に配置された空調手段と、前記ダクトの内部を抗菌する揮発性抗菌剤とを備えた空気調和装置において、前記空調手段はフィルタを備え、前記フィルタは、空気を通風するフィルタ本体と、前記フィルタ本体を支持するフレームとを備え、前記揮発性抗菌剤は、通気性素材からなるケースに収納するとともに、前記ケースは、前記フレームに嵌装して配置した構成の空気調和装置である。本発明の構成によれば、揮発性抗菌剤が合理的に設けられた空気調和装置が得られる。すなわち揮発性抗菌剤は、これを収納したケースをフレームに嵌装することにより簡単に配置することが可能である。ケースは、フィルターのフレームに嵌装することによって堅固に固定される。
【００１３】
本願第９請求項に記載した発明は、空気の流路を構成するダクトと、前記ダクトの内部に配置された空調手段と、前記ダクトの内部を抗菌する揮発性抗菌剤とを備えた空気調和装置において、前記空調手段はフィルタを備え、
前記フィルタは、空気を通風するフィルタ本体と、前記フィルタ本体を支持するフレームとを備え、前記フレームには、前記揮発性抗菌剤を収納する収納部を設け、前記収納部は、前記フィルタ本体の通風領域外部に位置する構成の空気調和装置である。本発明の構成によれば、揮発性抗菌剤が合理的に設けられた空気調和装置が得られる。すなわち揮発性抗菌剤は、フィルタのフレームに設けられた収納部に収納して配置される。収納部は、フィルタ本体の通風領域外部に位置するので、これが通風の障害になることはない。つまり、フィルタ本体はその有効面積を十分に活用することが可能である。
【００１４】
【発明の実施の形態】
以下に、本発明の第１具体例を図１乃至図３に基づいて説明する。本例の空気調和装置１は、空気の流路を構成するダクト２００と、ダクト２００の内部に配置された空調手段たるブロア３００、エバポレータ４００、及び集塵用のフィルタ５００と、ダクト２００の内部を抗菌する揮発性抗菌剤６００とを備えた自動車用エアコンである。
【００１５】
ダクト２００は、外気吸入口２１０、内気吸入口２２０、及びそれらの一方を閉めるドア２３０を備えている。このダクト２００の内部には、ブロア３００が作動することによって、外気吸入口２１０又は内気吸入口２２０から空気が吸引され、吸引された空気は、フィルタ５００及びエバポレータ４００を通過して車内にもたらされる。
【００１６】
更に本例のダクト２００は、その内部を露呈する開口部２５０と、開口部２５０を閉鎖する蓋部２４０とを備え、揮発性抗菌剤６００は、蓋部６００に配置されている。フィルタ５００は、ダクト２００に対してこの開口部２５０から出し入れする構成となっている。蓋部２４０及び開口部２５０には、互いに係止される係止片２４１及び係止部２５１がそれぞれ設けられており、蓋部２４０は、それらを係止することによって所定の位置に支持される。また、蓋部２４０の要所には、フィルタ５００との隙間を遮ることによって空気漏れを防止するリブ２４２が設けられている。
【００１７】
揮発性抗菌剤６００は、通気性素材からなるケース６１０に収納し、このケース６１０を蓋部２４０に装着して配置されている。揮発性抗菌剤６００としては、ＡＩＴ、ＡＩＴを含む薬剤、又はそれらを担持した担体を採用し、通気性素材としては、ポリプロピレンを採用している。また、本例のケース６１０は、揮発性抗菌剤６００を封入するものである。更に、図例したケース６１０は、両面テープ６２０を用いて蓋部２４０の内面に張り付けられれるものである。或いは、このようなケース６１０は、蓋部２４０にねじ止めするように構成してもよい。揮発性抗菌剤６００は、ケース６１０を透過してダクト２００の内部に揮発する。
【００１８】
尚、フィルタ５００は、図１においてはエバポレータ４００の手前に配置したが、その配置位置は、適宜に変更可能である。例えば図３に示すように、フィルタ５００はブロア３００の手前に配置するように構成してもよい。
【００１９】
このように、本例の空気調和装置１は、ダクト２００の内部を抗菌する揮発性抗菌剤６００が極めて合理的に設けられたものである。
【００２０】
次に、本発明の第２具体例を図４に基づいて説明する。本例の蓋部２４０は、通気性素材からなるとともに、揮発性抗菌剤６００を封入する収納部２４３を設けたものである。揮発性抗菌剤６００は、蓋部２４０を透過してダクト２００の内部に揮発する。尚、その他の基本構成は、前述した具体例と同様である。
【００２１】
このように、蓋部２４０に揮発性抗菌剤６００の収納部２４３を設けることも可能である。
【００２２】
次に、本発明の第３具体例を図５及び図６に基づいて説明する。本例のダクト２００は、通気性素材からなるとともに、ダクト２００の外面には、当該ダクト２００との間に中空部６３１を形成する支持体６３０を支持している。具体的には、ダクト２００の外面と支持体６３０との間に密閉手段６４０を介しつつ、支持体６３０をダクト２００にねじ止めしている。支持体６３０の要所にはネジ６５０を挿通する挿通部が設けられるとともに、ダクト２００の要所にはネジ６５０を螺合する雌ねじが設けられている。また、支持体６３０で覆われるダクト２００の部位は、当該ダクト２００の他の部位よりも薄肉となっている。図中の２６０は、その薄肉部を示している。揮発性抗菌剤６００は、中空部６３１に配置されており、特に薄肉部２６０を透過してダクト２００の内部に揮発する。尚、その他の基本構成は、前述した具体例と同様である。
【００２３】
このように、本例の空気調和装置１もまた、ダクト２００の内部を抗菌する揮発性抗菌剤６００が極めて合理的に設けられたものである。
【００２４】
次に、本発明の第４具体例を図７及び図８に基づいて説明する。本例の場合、フィルタ５００は、空気を通風する波型のフィルタ本体５１０と、フィルタ本体５１０を支持するフレーム５２０とを備え、揮発性抗菌剤６００は、通気性素材からなるケース６１０に封入して収納するとともに、このケース６１０は、フィルタ本体５１０の谷間に差し込んで配置した。ケース６１０は、フィルタ本体５１０の谷間に応じた楔形を呈するものであり、フィルタ本体５１０に対しては、摩擦によって保持される。揮発性抗菌剤６００は、ケース６１０を透過してダクト２００の内部に揮発する。尚、その他の基本構成は、前述した具体例と同様である。
【００２５】
このように、本例の空気調和装置１もまた、ダクト２００の内部を抗菌する揮発性抗菌剤６００が極めて合理的に設けられたものである。
【００２６】
次に、本発明の第５具体例を図９及び図１０に基づいて説明する。本例の場合、揮発性抗菌剤６００は、通気性素材からなるケース６１０に封入して収納するとともに、このケース６１０は、フィルタ５００のフレーム５２０に嵌装して配置した。ケース６１０及びフレーム５２０には、互いに係合するレール状の嵌合手段６１１，５２１がそれぞれ設けられており、ケース６１０は、フレーム５２０に対して所定の方向にライドさせることによって嵌装される。揮発性抗菌剤６００は、ケース６１０を透過してダクト２００の内部に揮発する。尚、その他の基本構成は、前述した具体例と同様である。
【００２７】
このように、本例の空気調和装置１もまた、ダクト２００の内部を抗菌する揮発性抗菌剤６００が極めて合理的に設けられたものである。
【００２８】
次に、本発明の第６具体例を図１１に基づいて説明する。本例の場合、フィルタ５００のフレーム５２０には、揮発性抗菌剤６００を収納する収納部５２２を設けている。この収納部５２２は、フィルタ本体５１０の通風領域外部に位置する構成となっている。揮発性抗菌剤６００は、フレーム５２０を透過してダクト２００の内部に揮発する。尚、その他の基本構成は、前述した具体例と同様である。
【００２９】
このように、本例の空気調和装置１もまた、ダクト２００の内部を抗菌する揮発性抗菌剤６００が極めて合理的に設けられたものである。
【００３０】
【発明の効果】
以上説明したように、本発明の構成によれば、揮発性抗菌剤が合理的に設けられた空気調和装置を得ることができる。
【図面の簡単な説明】
【図１】本発明の具体例に係り、空気調和装置を示す説明図である。
【図２】本発明の具体例に係り、空気調和装置の要部を示す説明図である。
【図３】本発明の具体例に係り、空気調和装置を示す説明図である。
【図４】本発明の具体例に係り、空気調和装置の要部を示す説明図である。
【図５】本発明の具体例に係り、空気調和装置を示す説明図である。
【図６】本発明の具体例に係り、空気調和装置の要部を示す説明図である。
【図７】本発明の具体例に係り、フィルタを示す説明図である。
【図８】本発明の具体例に係り、分解されたフィルタを示す説明図である。
【図９】本発明の具体例に係り、フィルタを示す説明図である。
【図１０】本発明の具体例に係り、フィルタを示す説明図である。
【図１１】本発明の具体例に係り、フィルタを示す説明図である。
【符号の説明】
１      空気調和装置
２００      ダクト
２１０      外気吸入口
２２０      内気吸入口
２３０      ドア
２４０      蓋部
２４１      係止片
２４２      リブ
２５０      開口部
２５１      係止部
２６０      薄肉部
３００      ブロア
４００      エバポレータ
５００      フィルタ
５１０      フィルタ本体
５２０      フレーム
５２１      嵌合手段
５２２      収納部
６００      揮発性抗菌剤
６１０      ケース
６１１      嵌合手段
６２０      両面テープ
６３０      支持体
６３１      中空部
６４０      密閉手段
６５０      ネジ
【図１】
2004210087.tif 000003
【図２】
2004210087.tif 000004
【図３】
2004210087.tif 000005
【図４】
2004210087.tif 000006
【図５】
2004210087.tif 000007
【図６】
2004210087.tif 000008
【図７】
2004210087.tif 000009
【図８】
2004210087.tif 000010
【図９】
2004210087.tif 000011
【図１０】
2004210087.tif 000012
【図１１】
2004210087.tif 000013